(57)【要約】      （修正有）【課題】粘着テープカッターを使用し封筒に封をする際、適当な長さのテープを切り取ることと，切り取ったテープを封緘部に正確に，体裁良く貼り付けることは簡単ことではない。【解決手段】テープを切り取るために補助具５を使い，切り取って補助具に仮接着したテープ４を封筒の封緘部１１に当て、補助具を外してテープを残し封筒１０に封をする。【選択図】図３
2014159334.tif 000002
【特許請求の範囲】
【請求項１】
粘着テ−プカッタ−（１）を用い封筒に封をするテ−プを補助具で切り取りそのままの補助具を使って、封筒に封をする補助具であって、
平面上に平行に並べて置かれた長方形の同じ長さの２枚の薄板、即ち、手元の仮受け板と先端の仮受け板のそれぞれの末端を長方形の１枚の板にて固定し握り柄とする補助具であり、
テ−プを切り取る方法は、粘着テ−プカッタ−（１）の切り刃部と巻きテ−プの空間に張られたテ−プの下に補助具の２枚の仮受け板を潜らせ、そのそれぞれの先端にテ−プを仮接着させ、補助具を引いてテ−プを切り取り、
予め用意した封筒の封緘部に、切り取ったテ−プを載せた補助具を当ててテ−プを残して封をする補助具。
【請求項２】
サイズの大きい封筒には長いテ−プが必要となり、「請求項１」の補助具の握り柄を相応の長さとし、手元の仮受け板と握り柄の接合部にボルト、ナットなどを使って互いに広角に広げることができる構造とし、一方の先端の仮受け板は握り柄の先端に直角に固定し、
テ−プを切り取る方法は、手元の仮受け板と握り柄を広角に広げ、手元の仮受け板を切り刃部の内側に添った状態でテ−プの下に潜らせ、その先端にテ−プを仮接着させ、続いて補助具を引いて手元の仮受け板と握り柄の角度を元の直角に戻しながらテ−プの下に先端の仮受け板を潜らせ、その先端にテ−プが仮接着された補助具を引いてテ−プを切り取り、
予め用意した封筒の封緘部に、切り取ったテ−プを載せた補助具を当ててテ−プを残して封をする補助具。
【請求項３】
「請求項２」に記載の補助具の手元の仮受け板とボルト、ナットで接続した握り柄を、必要、且つ可能な範囲まで長くし、先端の仮受け板に筒部を設け、貫通した握り柄に沿って自由に移動することができる構造とし、一体となった握り柄と先端の仮受け板を貫通した釘穴を穿ち、釘を装填し固定すれば、釘穴の数と位置に応じた長さのテ−プを切り取ることができ、
テ−プを切り取る方法は、「請求項２」に記載の方法によって切り取り、
予め用意した封筒の封緘部に，切り取ったテ−プを載せた補助具を当ててテ−プを残して封をする補助具。
【請求項４】
「請求項３」に記載の補助具では、握り柄と先端の仮受け板を釘穴と釘で固定するが、釘穴と釘でなく、楔を使って握り柄と先端の仮受け板を固定する補助具であり、握り柄が貫通する先端の仮受け板の筒部の握り柄との接触部分に溝状の窪みを設け、握り柄の任意の位置で溝部に楔を嵌め先端の仮受け板を固定すれば、必要な長さのテ−プを切り取ることができ、
テ−プを切り取る方法は、「請求項２」に記載の方法によって切り取り、
予め用意した封筒の封緘部に、切り取ったテ−プを載せた補助具を当ててテ−プを残して封をする補助具。
【発明の詳細な説明】
【技術分野】
【０００１】  封筒に封をする方法として粘着テ−プカッタ−（１）を使って必要な長さのテ−プを切り取り封をする、或いは同じ長さのテ−プを繰り返し切り取り封筒に封をする方法関する。
【背景技術】
【０００２】  上記のテ−プの切り取りに関し、下記等の方法が考えられた。
イ  目測で切り取る。
ロ  物差しを備えたテ−プカッタ−を使う。
ハ  テ−プカッタ−の内部に予め設定した長さで切り取れる機能を備える。
【先行技術文献】
【特許文献】
【０００３】
【実用新案特許１】
３００３７６６
【非特許文献】
【０００４】
【非特許文献１】  特開  Ｈ１１−３１４８３２
【非特許文献２】  特開  Ｈ１１−１９９１２７
【非特許文献３】  特開  Ｈ０９−３０９６６１
【非特許文献４】  特開  Ｈ０４−０４９１６５
【発明の概要】
【発明が解決しようとする課題】
【０００５】  上記のテ−プの切り取りは、規定したサイズで切り取る、又は、同じサイズで繰り返し切り取りができることであり、切り取られたテ−プを取り上げ封筒に貼り付けることは別の作業となり、正確に体裁良く貼り付け封をすることは簡単なことではない。
【問題を解決するための手段】
【０００６】  封筒には多くの異なったサイズがあり，相応する異なったサイズのテ−プが必要であり，それに対して補助具を使って対応するには、
イ  サイズ毎の補助具を用意する。
ロ  一つの補助具で，異なったサイズの封筒の，異なったサイズのテ−プを切り取る        ことができる構造とする。
【０００７】  粘着テ−プカッタ−（１）の構造では、切り刃部と巻きテ−プの間に空間があり、その空間のテ−プの下に、可能であり必要な間隔で平行に握り柄に固定された２枚の仮受け板を潜らせ、それぞれの仮受け板の先端にテ−プの端に余白を持たせ仮接着させ、その構造からなる補助具を引いてテ−プを切り取る。
【０００８】  封をする封筒は予めフラップを折って用意された封緘部の上に、切り取られ補助具に仮接着されたテ−プの余白部を封緘部に沿って載せ、補助具を起こして接着し、補助具を倒しながらテ−プを剥がし、封緘部に残ったテ−プを指先でなぞって封ををする。
【０００９】  大きいサイズの封筒には相応した長いサイズのテ−プが必要であり、補助具の構造として握り柄を長くすることになり、２枚の仮受け板を、粘着のテ−プカッタ−（１）のテ−プの下には潜らすことができない場合がある。
請求項１では直角に固定されている補助具の握り柄と手元の仮受け板との接合部にボルト、ナットなどを用い広角に広げることのできる構造とし、握り柄を必要な長さのテ−プに相応する長さとし、
テ−プを切り取る方法は、広角に広げた手元の仮受け板をテ−プの下、切り刃部に添ってって潜らせ、その先端にテ−プを余白を持って仮接着させ、先端の仮受け板が粘着テ−プカッタ−（１）に接触しない様にして補助具を引き、広げた握り柄と手元の仮受け板を元の角度、直角に戻しながら先端の仮受け板をテ−プの下に潜らせ、手元の仮受け板と平行に保ち、先端の仮受け板の先端にテ−プを余白を持たせ仮接着させ、補助具を引いてテ−プを切り取る。
切り取られたテ−プで封筒の封をする方法は、項目（０００８）と同じ手順であり、予めフラップを折って用意された封緘部の上に、切り取られ補助具に仮接着されたテ−プの余白部を封緘部に沿って載せ、補助具を起こして接着し，補助具を倒しながらテ−プを剥がし，指先でなぞって封をする。
【００１０】  前項目（０００９）の補助具の構造で握り柄を必要、且つ可能な範囲まで長くし，先端の仮受け板が握り柄に沿って移動でき、任意の位置に固定できる構造にすれば，多様な長さのテ−プを切り取ることができる。
切り取られたテ−プを封筒に貼付する方法は，項目（０００８）と同じ手順で行う。
【発明の効果】
【００１１】  封筒に封をするためのテ−プを切り取る方法はいろいろあるが、仮に問題なく切り取れても、いずれの場合も切り取られたテ−プは湾曲する習性があり、封緘部に正確に貼り付けるには両手を使う必要があったりして簡単な作業ではない。
当発明の補助具によれば、切り取られ補助具に仮接着したテ−プを、そのまま用意された封筒の封緘部に当て補助具を剥がしとることで、より簡単に、より正確に封をすることができる。
【図面の簡単な説明】
【００１２】
【図１】使用の対象となる粘着テ−プカッタ−（１）の斜視図。
【図２】（Ａ）は実施例１の補助具の俯瞰図。（Ｂ）は実施例１の補助具の側面図。（Ｃ）は実施例１の平面に置かれた補助具の手元の仮受け板の先端から視た正面図。
【図３】（Ａ）は実施例１の二枚の仮受け板をテ−プの下に潜らせた状態の斜視図。（Ｂ）は実施例１の補助具を引いてテ−プを切り取った状態の斜視図。
【図４】（Ａ）は実施例１の切り取ったテ−プ載せた補助具を封筒の封緘部に載せた状態の俯瞰図。（Ｂ）は実施例１の仮受け板からテ−プを外し接着するため補助具を起こした状態の側面図。（Ｃ）は実施例１の補助具を倒しながらテ−プを剥がすため下部を引く側面図  （Ｄ）は実施例１の補助具からテ−プが離れ封筒の封緘部に載った状態の側面図。
【図５】（Ａ）は実施例２に記載の補助具の俯瞰図。（Ｂ）は実施例２の補助具の側面図。（Ｃ）は実施例２の手元の仮受け板と握り柄を広角に広げた状態の補助具の俯瞰図。
【図６】（Ａ）は実施例２の補助具の広角に広げた手元の仮受け板をテ−プの下の切り刃部に添って装着した状態の斜視図。（Ｂ）は実施例２の補助具を引いてテ−プを延ばし、握り柄を元の角度に戻し、先端の仮受け板をテ−プの下に装着した状態の斜視図。（Ｃ）は実施例２の補助具にテ−プを切り取った状態の斜視図。
【図７】（Ａ）は実施例３に記載の補助具の俯瞰図。（Ｂ）は実施例３の釘穴に釘を装填し握り柄に固定した先端の仮受け板（図７のＡ）のｘ−ｘの断面図。（Ｃ）は実施例３の釘穴に釘を装填し、握り柄と仮受け板を固定する釘の側面図。
【図８】（Ａ）は実施例３の補助具の広角に広げた手元の仮受け板をテ−プの下の切り刃部に添って装着した状態の斜視図。（Ｂ）は実施例３の補助具を引いて握り柄の角度を直角に戻し、先端の仮受け板をテ−プの下に装着した状態の斜視図（Ｃ）は実施例３の補助具にてテ−プを切り取った状態の斜視図。
【図９】（Ａ）は実施例４に記載の補助具の俯瞰図。（Ｂ）は実施例４に記載の先端の仮受け板（図９のＡ）のｙ−ｙの断面図。（Ｃ）は実施例４に記載の楔の斜視図。
【発明を実施するための形態】
【００１３】  本発明の粘着テ−プカッタ−１の補助具と、補助具により切り取られたテ−プを使って封筒に封をする状況について添付図面を参照して説明する。
【実施例１】
【００１４】  平面上に平行に並べて置かれた長方形の同じ長さの２枚の薄板、即ち、仮受け板６ａと仮受け板６ｂのそれぞれの末端を必要なテ−プの長さに相応する長さの握り柄７で固定し、補助具５（図２のＡ）を作り、仮受け板６ａと仮受け板６ｂの先端８ａと８ｂには，９ａと９ｂの溝を作り（図２のＣ），補助具５でテ−プ４を引くときは滑らない様に、切り取られ補助具５の上に載ったテ−プ４を外すときは、剥がれ易い様にし、又、補助具５からテ−プ４を外し封筒１０の封緘部１１に貼り付けるとき作業性を良くするために，図２のＢに示す様に、仮受け板８ａと仮受け板８ｂの先端の裏側を薄くしてある（図２のＢ）。【００１５】  補助具５によって切り取られるテ−プ４の長さは，補助具５の仮受け板６ａの左端と仮受け板６ｂの右端との距離に仮受け板６ａの左端と切り刃２ａの距離を加えたものになる（図３参照）。【００１６】  粘着テ−プカッタ−１から補助具５を用いテ−プ４を切り取るときは、補助具５を切り刃部２とロ−ル巻きテ−プ３の間のテ−プ４の下の空間に潜らせ（図３のＡ）、テ−プ４にその幅の１／３程度の余白４ａ，４ｂを持たせ二枚の仮受け板の先端８ａ、８ｂに仮接着させ補助具５を引いて切り刃２ａにてテ−プ４を切り取る（図３のＢ）。【００１７】  封筒１０に封をする方法は、予め封緘部１１のフラップ１２を折って用意され、上記の切り取られたテ−プ４を載せた補助具５（図４のＡ）のテ−プ４の余白部４ａ，４ｂをフラップ１２の上に沿って、封緘部１１の線がテ−プ４の中央に一致する様に載せ、補助具５を起こして接着し（図４のＢ）、倒しながらテ−プを剥がし（図４のＣ）、補助具５から離れて封筒１０の封緘部１１に残ったテ−プ４（図４のＤ）を指先でなぞって封をする。
【実施例２】
【００１８】  大きいサイズの封筒に封をするには、相応した長いサイズのテ−プが必要であり、補助具１３（図５のＡ）の構造として握り柄１５を必要なサイズに長くすることになり、粘着テ−プカッタ−１では，補助具１３をテ−プ２０の下に潜らすことができない（図６のＡ）。
補助具１３の基幹となる握り柄１５と仮受け板１４ａとをボルト、ナット１８で接続し，互いに広角に広がる構造とし（図５のＣ）、角度保持具１９を使って元の直角に戻すこともできる（図５のＡ）。
仮受け板１４ｂは握り柄１５の先端に握り柄１５と直角に固定する（図５のＡ）。【００１９】  補助具１３によって切り取られるテ−プ２０の長さは，図５の仮受け板１４ａの左端と仮受け板１４ｂの右端との距離に，仮受け板１４ａの左端と切り刃２ａとの距離を加えたものとなる。【００２０】  テ−プ２０を切り取る方法は、広角に広げた仮受け板１４ａをテ−プ２０の下、切り刃部２に添って潜らせ（図６のＡ）。
テ−プ２０の幅の１／３程度の余白２０ａを持たせ、仮受け板１４ａの先端１６ａに仮接着させ、仮受け板１４ｂが粘着テ−プカッタ−１に接触しない様に補助具１３を引き、広げた握り柄１５と仮受け板１４ａを角度保持具１９により元の角度、直角に戻しながら、仮受け板１４ｂをテ−プ２０の下に潜らせ仮受け板１４ａと平行に保ち（図６のＢ）、
テ−プ２０に皺、捻れなどが出ない様にしながら１／３程度の余白２０ｂを持たせ仮受け板１４ｂの先端部１６ｂに仮接着させ、補助具１３を引いてテ−プ２０を切り取る（図６のＣ）。【００２１】  封筒に封をする方法は、実施例１の項目（００１７）（図４のＡ，Ｂ，Ｃ，Ｄ）の手順に従い、封をする封筒は予め封緘部のフラップを折り用意され、切り取られ補助具１３に仮接着されたテ−プ２０の余白部２０ａ、２０ｂをフラップの上に沿って、封緘部の線がテ−プ２０の中央に一致する様に載せ、補助具１３を起こして接着し、補助具１３を倒しながらテ−プ２０を剥がし、補助具１３から離れて封筒の封緘部に残ったテ−プ２０を指先でなぞって封をする。
【実施例３】
【００２２】  封筒には多くのサイズ、規格があり、その封緘に対応するには多くの異なった長さのテ−プが必要となる。
例えば、封筒で長形４号では約８５ミリ、長形３号では約１１０ミリ、角形２号では約２２０ミリの長さのテ−プが必要である。【００２３】  １個の補助具２１で多くの異なった長さのテ−プを切り取るには，第２の実施例の構造の補助具１３で握り柄１５を、必要であり、且つ可能な範囲まで長くし、仮受け板２２ｂを握り柄２３に沿って移動できる構造にすれば（図７のＡ）、
切り取られるテ−プの長さは、図７のＡの仮受け板２２ａの左端と仮受け板２２ｂの右端との距離と，粘着テ−プカッタ−１に装着される仮受け板２２ａ（図８Ａ）の左端と切り刃２ａとの距離を加えた長さになる。【００２４】  図７のＢ（拡大図）は仮受け板２２ｂの断面図（図７のＡのｘ−ｘ線）であり、仮受け板２２ｂに設けた筒部２５を握り柄２３が貫通していて、仮受け板２２ｂと一体体となった握り柄２３とをステップドリルで穿つか、又は同じ形状の釘穴２６を設け、握り柄２３の釘穴２６（図７のＢ）に、釘２７（図７のＣ）を装填すれば、仮受け板２２ｂを握り柄２３に固定することができ、
釘穴２６から釘２７を抜くと、握り柄２３に沿って仮受け板２２ｂを移動することができる。【００２５】  長さの異なるテ−プを切り取るには、握り柄２３のそれぞれのテ−プの長さに相応する位置に図７の釘穴２６（ａ，ｂ，ｃ）を穿ち、【００２６】  テ−プ３０（図８）を切り取る場合は、握り柄２３の封筒の規格に相応する位置の釘穴２６に釘２７を装填し仮受け板２２ｂを固定し（図７のＡ、Ｂ）、
握り柄２３から広角に広げた仮受け板２２ａをテ−プ３０の下、切り刃部２に添って潜らせ、テ−プ３０の幅の１／３程度の余白３０ａを持たせ、仮受け板２２ａの先端２８ａに仮接着させ（図８のＡ）、
仮受け板２２ｂが粘着テ−プカッタ−１に接触しない様に補助具２１を引き、広げた握り柄２３と仮受け板２２ａを角度保持具３１により元の角度、直角に戻しながら仮受け板２２ｂをテ−プ３０の下に潜らせ、仮受け板２２ａと平行に保ち（図８のＢ）、
テ−プ３０に皺、捻れなど出ない様にしながら１／３程度の余白３０ｂを持たせ、仮受け板２２ｂの先端部２８ｂに仮接着させ，補助具２１を引いてテ−プ３０を切取る（図８のＣ）。【００２７】  封筒に封をする方法は、実施例１の項目（００１７）（図４のＡ，Ｂ，Ｃ，Ｄ）の手順に従い封をする封筒は予め封緘部のフラップを折り用意され、切り取られ補助具２１に仮接着されたテ−プ３０の余白部３０ａ，３０ｂをフラップの上に沿って封緘部の線がテ−プ３０の中央に一致する様に載せ、補助具２１を起こして接着し、補助具２１を倒しながらテ−プ３０を剥がし、補助具２１から離れて封緘部に残ったテープ３０を指先でなぞって封をする。
【実施例４】
【００２８】    実施例３の形状の補助具２１において、握り柄２３と仮受け板２２ａとの固定を釘穴２６と釘２７とではなく、楔３６を用いて固定する方法の補助具３２（図９のＡ）であり、
貫通する握り柄３４の上面が接する仮受け板３３ｂの部分（図９のＡ、Ｂ）に溝状の窪みを設け、その溝部３８に楔３６（図９のＣ）を嵌めて握り柄３４と仮受け板３３ｂを固定する    。
図９のＢ（拡大図）は、仮受け板３３ｂの断面図（図９のＡのｙ−ｙ線）であり上記の固定状況を示し、
切り取られるテープの長さは、図９のＡの仮受け板３３ａの左端と仮受け板３３ｂの右端との距離と，粘着テープカッター１に装着される（図８のＡ参照）仮受け板３３ａの左端と切り刃２ａとの距離を加えた長さになり、
握り柄３４の上面には、使用頻度の多い封筒のサイズの長さに応じた位置に印３９（ａ，ｂ，ｃ）を付け（図９のＡ）、その印３９に応じて仮受け板３３ｂを固定すれば、多様なサイズのテ−プの切り取りを能率良く行うことができる。【００２９】  テ−プを切り取る場合は、握り柄３４の封筒のサイズの印３９の位置に楔３６を使って仮受け板３３ｂを固定し（図９のＡ、Ｂ）、
以下は実施例３の項目（００２６）の手順に従い，
握り柄３４から広角に広げた仮受け板３３ａをテ−プの下、切り刃部２に添って潜らせ，テ−プの幅の１／３の余白を持たせ，仮受け板３３ａの先端部４０ａに仮接着させ（図８のＡ参照）、
仮受け板３３ｂが粘着テープカッタ−１に接触しない様に補助具３２を引き、広げた握り柄３４と仮受け板３３Ａを角度保持具４２により元の角度、直角に戻しながら仮受け板３３ｂをテ−プの下に潜らせ，仮受け板３３ａと平行に保ち（図８のＢ参照）。
テープに皺、捻れなど出ない様にしながら１／３程度の余白を持たせ，仮受け板３３ｂの先端部４０ｂに仮接着させ、補助具３２を引いてテープを切り取る（図８のＣ参照）。【００３０】  封筒に封をする方法は、実施例１の項目（００１７）（図４のＡ、Ｂ、Ｃ、Ｄ），及び実施例３の項目（００２７）の手順に従い、
封をする封筒は予め封緘部のフラップを折り用意され，切り取られ補助具３２に仮接着されたテープの余白部をフラップの上に沿って封緘部の線がテープの中央に一致する様に載せ、補助具３２を起こして接着し，補助具３２を倒しながらテープを剥がし，補助具３２から離れて封緘部に残ったテープを指先でなぞって封をする。
【符号の説明】
【００３１】    １    粘着テ−プカッタ−
２    切り刃部
２ａ  切り刃
３    ロ−ル巻きテ−プ
４    テ−プ
４ａ  テ−プの余白部
４ｂ  テ−プの余白部
５    補助具
６ａ  手元の仮受け板
６ｂ  先端の仮受け板
７    握り柄
８ａ  仮受け板の先端部
８ｂ  仮受け板の先端部
９ａ  仮受け板の先端部の溝
９ｂ  仮受け板の先端部の溝
１０    封筒
１１    封緘部
１２    封筒のフラップ
１３    補助具
１４ａ  手元の仮受け板
１４ｂ  先端の仮受け板
１５    握り柄
１６ａ  仮受け板の先端部
１６ｂ  仮受け板の先端部
１７ａ  仮受け板の先端部の溝
１７ｂ  仮受け板の先端部の溝
１８    ボルト、ナット
１９    角度保持具
２０    テ−プ
２０ａ  テ−プの余白部
２０ｂ  テ−プの余白部
２１    補助具
２２ａ  手元の仮受け板
２２ｂ  先端の仮受け板
２３    握り柄
２４    ボルト、ナット
２５    筒部
２６    釘穴（ａ，ｂ，ｃ）
２７    釘
２８ａ  仮受け板の先端部
２８ｂ  仮受け板の先端部
２９ａ  仮受け板の先端部の溝
２９ｂ  仮受け板の先端部の溝
３０    テ−プ
３０ａ  テ−プの余白部
３０ｂ  テ−プの余白部
３１    角度保持具
３２    補助具
３３ａ  手元の仮受け板
３３ｂ  先端の仮受け板
３４    握り柄
３５    ボルト、ナット
３６    楔
３７    筒部
３８    溝部
３９    印（封筒のサイズ，ａ，ｂ，ｃ）
４０ａ  仮受け板の先端部
４０ｂ  仮受け板の先端部
４１ａ  仮受け板の先端部の溝
４１ｂ  仮受け板の先端部の溝
４２    角度保持具
【図１】
2014159334.tif 000003
【図２】
2014159334.tif 000004
【図３】
2014159334.tif 000005
【図４】
2014159334.tif 000006
【図５】
2014159334.tif 000007
【図６】
2014159334.tif 000008
【図７】
2014159334.tif 000009
【図８】
2014159334.tif 000010
【図９】
2014159334.tif 000011